(57)【要約】【課題】サッシ窓を窓枠に嵌め込む作業が少人数で迅速に行え、また、構造の簡単化が図れるサッシ窓吊具を提供する。【解決手段】サッシ窓５の下辺部の非角側に係合される下辺係合部１１と、サッシ窓５の左右の縦辺部５２にそれぞれ係合される縦辺係合部１２と、上記下辺係合部１１および上記縦辺係合部１２に取り付けられる吊部材２とを備える。作業者はサッシ窓５にサッシ窓吊具１を装着し、このサッシ窓吊具１を介してサッシ窓５をホイスト７で吊り上げて窓枠６に嵌め込むことができる。【選択図】図１
2020105740.tif 000002
【特許請求の範囲】
【請求項１】
建具の下辺部の非角側に係合される下辺係合部と、建具の左右の縦辺部にそれぞれ係合される縦辺係合部と、上記下辺係合部および上記縦辺係合部に取り付けられる吊部材とを備えることを特徴とする建具吊具。
【請求項２】
請求項１に記載の建具吊具において、上記下辺係合部は、建具の下部側の凹レールに差し込まれる第１立上部と、上記第１立上部に対向する第２立上部と、上記第１立上部と上記第２立上部との下部を繋ぐ繋ぎ部とを備えることを特徴とする建具吊具。
【請求項３】
請求項２に記載の建具吊具において、上記建具の下辺部を上記第２立上部の側から上記第１立上部の側に押す押圧部材を備えることを特徴とする建具吊具。
【請求項４】
請求項１〜請求項３のいずれか１項に記載の建具吊具を用いて建具を吊り上げ、この吊り上げた建具の上部のレールを建具枠の上側枠のレールに入れる工程と、建具枠の下側枠上であって上記建具の下辺部の角側に当たる配置でセットしておいた建具置き具に、上記建具を仮置きする工程と、上記建具置き具を横に移動させて、上記建具枠の下側枠のレールに上記建具の下部のレールを入れる工程と、を有することを特徴とする建具の取り付け方法。
【請求項５】
建具の下辺部に係合される下辺係合部と、建具の左右の縦辺部にそれぞれ係合される縦辺係合部と、上記下辺係合部および上記縦辺係合部に取り付けられる吊部材とを備える第１吊手段と、
建具の一方の面に吸着する吸着部と、上記吸着部に取り付けられる吸着部用吊部材とを備える第２吊手段とを備えることを特徴とする建具吊具。
【請求項６】
請求項５に記載の建具吊具において、上記吸着部は、１個または複数の吸盤を備えることを特徴とする建具吊具。
【請求項７】
請求項５に記載の建具吊具において、上記吸着部は、複数の吸盤を板状体に取り付けて一体化した吸盤装置であることを特徴とする建具吊具。
【請求項８】
請求項５〜請求項７のいずれか１項に記載の建具吊具の第１吊手段および第２吊手段を用いて建具を吊り上げ、この吊り上げた建具の上部のレールを建具枠の上側枠のレールに入れる工程と、上記第１吊手段の吊部材を緩めて、上記下辺係合部を建具の下辺部から外す工程と、上記第２吊手段で建具を吊り上げている状態で、上記建具の吊り高さを下げて上記建具枠の下側枠のレールに上記建具の下部のレールを入れる工程と、を有することを特徴とする建具の取り付け方法。
【発明の詳細な説明】
【技術分野】
【０００１】
この発明は、サッシ窓等の建具を吊り上げることができる建具吊具および建具の取り付け方法に関する。
【背景技術】
【０００２】
サッシ窓が大型化すると、少人数でサッシ窓を持ち上げて窓枠に嵌め込む作業において、各人にかかる負担が大きくなる。また、窓枠に１枚目のサッシ窓が取り付けられた状態では、取り付け空間が狭くなり、大人数で取り付け作業を行うことは困難である。さらに、サッシ窓取付作業の迅速化も望まれている。
【０００３】
また、サッシ窓を機械的に吊り上げる装置として、特許文献１には、ガラス窓を保持して吊り込むと同時に、構造体へのガラス窓の取り付け作業を容易にするガラス窓の吊り込み治具が開示されている。
【先行技術文献】
【特許文献】
【０００４】
【特許文献１】特開平１０−４６８２４号公報
【発明の概要】
【発明が解決しようとする課題】
【０００５】
しかしながら、上記特許文献１の吊り込み治具は、ガラス窓の表裏両面を挟み込むために吸盤を対向配置した吸盤装置を用いるため、大掛かりな装置となる。
【０００６】
この発明は、サッシ窓等の建具を窓枠等の建具枠に嵌め込む作業が少人数で迅速に行え、また、構造の簡単化が図れる建具吊具を提供することを目的とする。
【課題を解決するための手段】
【０００７】
この発明の建具吊具は、上記の課題を解決するために、建具の下辺部の非角側に係合される下辺係合部と、建具の左右の縦辺部にそれぞれ係合される縦辺係合部と、上記下辺係合部および上記縦辺係合部に取り付けられる吊部材とを備えることを特徴とする。
【０００８】
上記の構成であれば、作業者が建具に建具吊具を装着し、この建具吊具を介して建具を吊り上げ機械（ホイスト等）で吊り上げることができる。そして、作業者は、吊り上げた建具の上部のレールを建具枠の上側枠のレールに入れた後、建具枠の下側枠上であって、建具の下辺部の角側に当たる配置でセットしておいた建具置き具に、建具を仮置きする。この仮置き状態においては、建具の荷重が上記建具置き具にかかるため、上記下辺係合部を建具の下辺部から取り外すことができる。その後、上記建具置き具を取り外して建具を降ろすことで、建具枠の下側枠のレールに建具の下部のレールが嵌る。このように嵌め込みを行った後、建具吊具を建具から取り外す。すなわち、少人数で建具を建具枠に取り付けることが可能であり、取付作業の迅速化も図れる。また、構造の簡単化も図れる。
【０００９】
上記下辺係合部は、建具の下部側の凹レールに差し込まれる第１立上部と、上記第１立上部に対向する第２立上部と、上記第１立上部と上記第２立上部との下部を繋ぐ繋ぎ部とを備えてもよい。これによれば、上記第１立上部が建具の下部側の凹レールに差し込まれるので、当該下辺係合部を傾倒させて上記第１立上部を凹レールから離脱させる際に、上記繋ぎ部が建具枠の下側枠の凸レールに当たるのを回避し、当該下辺係合部を建具の下辺部から容易に離脱させることができる。
【００１０】
上記建具の下辺部を上記第２立上部の側から上記第１立上部の側に押す押圧部材が備えられていてもよい。ここで、上記の傾倒が容易になるように、上記第１立上部と上記第２立上部との間隔を広くすることが望ましいが、これでは建具の下辺部をしっかりと把持できない。上記押圧部材を備えることで、上記間隔を広くしたとしても、上記建具の下部側の凹レールの立壁面を上記第１立上部に押し当てることができるので、吊り上げ時において上記建具の下辺部をしっかりと把持することができる。
【００１１】
また、この発明の建具の取り付け方法は、上記の建具吊具を用いて建具を吊り上げ、この吊り上げた建具の上部のレールを建具枠の上側枠のレールに入れる工程と、建具枠の下側枠上であって上記建具の下辺部の角側に当たる配置でセットしておいた建具置き具に、上記建具を仮置きする工程と、上記建具置き具を横に移動させて、上記建具枠の下側枠のレールに上記建具の下部のレールを入れる工程と、を有することを特徴とする。
【００１２】
また、この発明の建具吊具は、建具の下辺部に係合される下辺係合部と、建具の左右の縦辺部にそれぞれ係合される縦辺係合部と、上記下辺係合部および上記縦辺係合部に取り付けられる吊部材とを備える第１吊手段と、
建具の一方の面に吸着する吸着部と、上記吸着部に取り付けられる吸着部用吊部材とを備える第２吊手段とを備えることを特徴とする。
【００１３】
上記の構成であれば、作業者が建具に建具吊具の第１吊手段および第２吊手段を装着し、この建具吊具を介して建具を吊り上げ機械で吊り上げることができる。そして、作業者は、例えば、吊り上げた建具の上部のレールを建具枠の上側枠のレールに入れた後、第１吊手段の吊部材を緩めて、上記下辺係合部を建具の下辺部から外す。また、上記第２吊手段で建具を吊り上げている状態で、建具の吊り高さを徐々に下げて、建具枠の下側枠のレールに建具の下部のレールを嵌める。その後、第２吊手段による吊り下げも終了し、建具吊具を建具から取り外す。すなわち、少人数で建具を建具枠に取り付けることが可能であり、取付作業の迅速化も図れる。また、吸着部は建具の一方の面に取り付けられるので、両面に取り付ける構造に比べて構造の簡単化が図れる。
【００１４】
上記吸着部は、１個または複数の吸盤を備えてもよい。また、上記吸着部は、複数の吸盤を板状体に取り付けて一体化した吸盤装置でもよい。
【００１５】
これらの建具吊具において、上記吊部材は、上記下辺係合部に連結される第１部材と、上記縦辺係合部に連結される第２部材を備えてもよい。これによれば、建具を安定的に吊ることができる。
【００１６】
また、この発明の建具の取り付け方法は、上記の建具吊具の第１吊手段および第２吊手段を用いて建具を吊り上げ、この吊り上げた建具の上部のレールを建具枠の上側枠のレールに入れる工程と、上記第１吊手段の吊部材を緩めて、上記下辺係合部を建具の下辺部から外す工程と、上記第２吊手段で建具を吊り上げている状態で、上記建具の吊り高さを下げて上記建具枠の下側枠のレールに上記建具の下部のレールを入れる工程と、を有することを特徴とする。
【発明の効果】
【００１７】
本発明であれば、サッシ窓等の建具を窓枠等の建具枠に嵌め込む作業が少人数で迅速に行え、また、建具吊具の構造の簡単化が図れるという効果を奏する。
【図面の簡単な説明】
【００１８】
【図１】この発明の実施形態のサッシ窓吊具を用い、サッシ窓を窓枠に嵌め込む工程を示した説明図である。
【図２】図１のサッシ窓吊具の縦辺係合部およびサッシ窓の一部を示した概略の横断面図である。
【図３】図１のサッシ窓吊具の下辺係合部およびサッシ窓の一部を示した概略の縦断面図であって、同図（Ａ）は下辺係合部の装着状態を示し、同図（Ｂ）は下辺係合部の取り外しを示している。
【図４】図１のサッシ窓吊具を用い、サッシ窓を窓枠に嵌め込む工程を示した説明図である。
【図５】図１のサッシ窓吊具を用い、サッシ窓の上部を窓枠の上部に嵌め込む工程を示した説明図である。
【図６】図１のサッシ窓吊具を用い、サッシ窓の下部を窓枠の下部に嵌め込む工程を示した説明図である。
【図７】この発明の他の実施形態のサッシ窓吊具を用い、サッシ窓を窓枠に嵌め込む工程を示した説明図である。
【図８】図７のサッシ窓吊具を用い、サッシ窓を窓枠に嵌め込む工程を示した説明図である。
【図９】図７のサッシ窓吊具を用い、サッシ窓の上部を窓枠の上部に嵌め込む工程を示した説明図である。
【図１０】図７のサッシ窓吊具を用い、サッシ窓の下部を窓枠の下部に嵌め込む工程を示した説明図である。
【図１１】図７のサッシ窓吊具における第２吊手段の吸着装置を示した説明図である。
【発明を実施するための形態】
【００１９】
以下、この発明の実施形態を添付図面に基づいて説明する。図１は、屋内側で床施工前に、この実施形態のサッシ窓吊具（建具吊具）１をサッシ窓（建具）５に取り付け、上記サッシ窓吊具１を介してサッシ窓５を、建物８の梁等に取り付けたホイスト７によって吊り上げる段階を示している。なお、屋外側でサッシ窓吊具１をサッシ窓５に取り付けてサッシ窓５を窓枠（建具枠）６に嵌め込むことも可能である。上記サッシ窓５の下部には、下部側の凹レール５ａ（図３参照）が形成されており、上部には、上部側の凹レールが形成されている。また、上記サッシ窓５が嵌め込まれる窓枠６の下側枠には、下部側の凸レール６１（図３参照）が形成されており、上側枠には、上部側の凸レールが形成されている。
【００２０】
上記サッシ窓吊具１は、上記サッシ窓５の下辺部５１の中央側（非角側）に係合される下辺係合部１１と、上記サッシ窓５の左右の縦辺部５２にそれぞれ係合される縦辺係合部１２と、上記下辺係合部１１および上記縦辺係合部１２に取り付けられた吊部材２とを備える。上記下辺係合部１１および上記縦辺係合部１２は、例えば、金属材からなり、上記吊部材２は、例えば、ナイロンスリングからなる。また、上記下辺係合部１１および上記縦辺係合部１２には、スリットが形成されており、このスリットに上記吊部材２の端部が差し込まれて留め付けられている。
【００２１】
上記吊部材２は、例えば、上記下辺係合部１１に連結される第１部材２１と、上記縦辺係合部１２に連結される第２部材２２とを備える。上記第１部材２１は縦方向に配置され、上記第２部材２２は横方向に配置されており、これらは十字状に交差し、交差部で互いに縫合されている。また、上記第１部材２１の上端部にはリング部材（カラビナ等）２３が留め付けられており、このリング部材２３にホイスト７のフック７１を引っかけることができる。なお、上記のような第１部材２１と第２部材２２の十字配置に限定されるものではなく、上記第２部材２２の中央部を上記リング部材２３に固定する他、上記第２部材２２を２分割して各々がフック７１に引っ掛けられるようにしてもよい。
【００２２】
第１部材２１および第２部材２２は長さ調整機構（バックル等）２１ａ，２２ｂを備えている。サッシ窓５にサッシ窓吊具１を装着する際には、上記長さ調整機構２１ａ，２２ｂによって、第１部材２１および第２部材２２の長さを長くできるので、下辺係合部１１等をサッシ窓に取り付けやすくできる。そして、取り付けた後に、第１部材２１および第２部材２２の長さを短くして、上記下辺係合部１１等をサッシ窓５にしっかりと当てることができる。また、サイズの異なるサッシ窓に対しても容易に対応できる。
【００２３】
図２に示すように、上記縦辺係合部１２は、サッシ窓５の縦辺部５２を挟むように位置する第１縦面部１２ａおよび第２縦面部１２ｂと、上記第１縦面部１２ａと上記第２縦面部１２ｂとを繋ぐ繋ぎ部１２ｃとを備える。上記第２縦面部１２ｂに上記吊部材２の端部が差し込まれる上記スリットが形成されている。上記第１縦面部１２ａと上記第２縦面部１２ｂとの間隔（繋ぎ部１２ｃの幅）は、サッシ窓５の厚みよりも広くされている。上記第２縦面部１２ｂには螺子孔が形成されており、この螺子孔に螺子部付きの押し当て具１２ｄを螺合させてある。この押し当て具１２ｄの先端当たり部をサッシ窓５のフレームに当てることで、上記縦辺係合部１２をサッシ窓５に緩みなく装着できる。また、押し当て具１２ｄを用いることで、サイズの異なるサッシ窓に対してもしっかりと装着が行える。なお、押し当て具１２ｄが上記第２縦面部１２ｂに設けられていると、１枚目のサッシ窓５が取り付けてある場合でも、支障なく押し当て操作が行える。また、上記押し当て具１２ｄの代わりに、上記第２縦面部１２ｂとサッシ窓５の縦辺部との間に押し込まれるスペーサ部材（硬質発泡樹脂等）を用いてもよい。
【００２４】
また、図３（Ａ）に示すように、上記下辺係合部１１は、サッシ窓５の下辺部５１の凹レール５ａに差し込まれる第１立上部１１ａと、この第１立上部１１ａに対向する第２立上部１１ｂと、上記第１立上部１１ａと上記第２立上部１１ｂとの下部を繋ぐ繋ぎ部１１ｃとを備える。上記繋ぎ部１１ｃが上記サッシ窓５の荷重を受ける。上記第２立上部１１ｂの高さは、上記第１立上部１１ａの高さよりも高くされている。また、上記第２立上部１１ｂに上記スリットが形成されおり、この上記第２立上部１１ｂの側が上記吊部材２の第１部材２１によって吊り上げられる。
【００２５】
ここで、後述するサッシ窓の嵌め込み完了前の仮置き状態では、サッシ窓５の下辺部５１の底面と窓枠６の下側枠との間隔が狭く、上記下辺係合部１１を真下に移動させて外すことが困難であるため、以下のようになっている。すなわち、上記下辺係合部１１の第１立上部１１ａは、サッシ窓５の下辺部５１の凹レール５ａに差し込まれているため、図３（Ｂ）に示すように、当該下辺係合部１１を傾倒させて上記第１立上部１１ａを凹レール５ａから離脱させることができる。そして、この離脱の際に、上記繋ぎ部１１ｃが窓枠６の下側枠の凸レール６１に当たるのを回避できる。このようにして、上記第１立上部１１ａをサッシ窓５の下側の凹レール５ａから容易に離脱させることができる。
【００２６】
さらに、上記傾倒が容易になるように、上記第１立上部１１ａと上記第２立上部１１ｂとの間隔（繋ぎ部１１ｃの幅）は、サッシ窓５の凹レール５ａの横側部の肉厚よりも、例えば３倍程度広くされている。また、上記第２立上部１１ｂには螺子孔が形成されており、この螺子孔に螺子部付きの押し当て具１１ｄを螺合させてある。この押し当て具１１ｄは、上記サッシ窓５の下辺部５１を上記第２立上部１１ｂの側から上記第１立上部１１ａの側に押す押圧部材となる。上記のように上記第１立上部１１ａと上記第２立上部１１ｂとの間隔が広くても、上記押し当て具１１ｄの先端当たり部をサッシ窓５の下辺部５１に当てることで、上記下辺係合部１１をサッシ窓５に緩みなく装着できる。また、このような緩みない装着により、サッシ窓５の吊り上げ状体での上記下辺係合部１１の傾倒を防止できる。なお、上記サッシ窓５の下辺部５１を押す上記押圧部材として、上記第２立上部１１ｂと下辺部５１との間に押し込まれるスペーサ部材（硬質発泡樹脂等）を用いることができる。
【００２７】
次に、上記サッシ窓５の上記窓枠６への取り付け方法について説明する。図４および図５に示すように、上記サッシ窓吊具１で吊り上げたサッシ窓５の上部側の位置調整を行い、この上部側の凹レールを窓枠６の上側枠の凸レールに入れる。また、窓枠６の下側枠上であって、サッシ窓５の下辺部の両角部を受ける配置でセットしたサッシ窓置き具９に、サッシ窓５の両角部を置いて、サッシ窓５を仮置きする。サッシ窓置き具９は、図３（Ａ）に示したように、窓枠６の下側枠の着脱可能なフラット蓋６２を外した状態で用いられる。また、サッシ窓置き具９は、水平な仮置き面と、この仮置き面から下り傾斜する傾斜面を有する。上記の仮置き状態においては、サッシ窓５の荷重が上記サッシ窓置き具９にかかるため、上記吊部材２における上記第１部材２１を緩めて、上記下辺係合部１１をサッシ窓５の下辺部５１から外すことができる。また、この仮置き状態においては、仮置きしたサッシ窓５と窓枠６のレール位置合わせを、サッシ窓置き具９上で容易に行うことができる。
【００２８】
この位置合わせの後、図６に示すように、上記サッシ窓置き具９を横に移動させることで、上記傾斜面によってサッシ窓５が徐々に下がり、下側の凹レール５ａが窓枠６の下側枠の凸レール６１に嵌り込む。このように、サッシ窓５を吊って窓枠６に嵌め込む作業が少人数で迅速に行えることになる。なお、図２（Ａ）では、太仮想線で示したサッシ窓置き具９（屋内側）と細仮想線で示したサッシ窓置き具９（屋外側）とが同じ形状であるとしたが、上記フラット蓋６３を外して露呈される底部の形状や深さによって、両者の高さや形状が異なる場合もある。
【００２９】
（実施形態２）
他の実施形態のサッシ窓吊具１Ａを図７乃至図１１に基づいて説明する。このサッシ窓吊具１Ａは、図７に示すように、上記サッシ窓吊具１を第１吊手段１０１として備えるとともに、これとは別に独立して上記サッシ窓５を吊ることができる第２吊手段３を備える。第１吊手段１０１は、上記サッシ窓吊具１の変形例と同様の変形が可能である他、上記下辺係合部１１の第１立上部に相当する立上部がサッシ窓５の下辺部５１を挟み込む構造であってもよく、また、上記下辺係合部１１に相当する係合部として、サッシ窓５の下辺部５１の角にそれぞれ係合される角係合部を設けることも可能である。上記角係合部の各々には、第１部材２１に相当する帯材が取り付けられ、この帯材の反対側にリング部材２３が取り付けられる。なお、図７乃至図１１においては、上記サッシ窓吊具１と共通する上記第１吊手段１０１の構成要素には、上記サッシ窓吊具１において付した符号と同一の符号を付記している。
【００３０】
上記第２吊手段３は、図１１に示すように、サッシ窓５の片面側（屋内側或いは屋外側）でガラス面に取り外し可能に吸着できる吸着部３１と、上記吸着部３１の上端側に取り付けられる吸着部用吊部材３２とを備える。上記吸着部３１は１個の吸盤からなる構成でもいが、この例では、縦方向に並ぶ複数の吸盤３１ａを縦長の板状体３１ｂに取り付けて一体化している。上記吸盤３１ａは、例えば、ハンドル操作で吸着および取り外しが行える。
【００３１】
上記サッシ窓吊具１Ａを用いる場合も、図７および図８に示すように、作業者がサッシ窓５にサッシ窓吊具１の第１吊手段１０１および第２吊手段３を装着し、このサッシ窓吊具１Ａを介してサッシ窓５をホイスト７で吊り上げることができる。そして、作業者は、図９に示すように、例えば、吊り上げたサッシ窓５の上部の凹レールを窓枠６の上側枠の凸レールに入れた後、上記吊部材２における上記第１部材２１を緩めて、上記下辺係合部１１をサッシ窓５の下辺部５１から外し、上記第２吊手段３単独でサッシ窓５を吊り上げる。また、図１０に示すように、上記第２吊手段３単独でサッシ窓５を吊り上げている状態で、サッシ窓５の吊り高さを徐々に下げて、窓枠６の下側枠の凸レール６１にサッシ窓５の下部の凹レール５ａを嵌める。その後、第２吊手段３による吊り下げも終了し、サッシ窓吊具１Ａをサッシ窓５から取り外す。すなわち、少人数でサッシ窓５を窓枠６に取り付けることが可能であり、取付作業の迅速化も図れる。また、吸着部３１はサッシ窓５の片面側に取り付けられるので、サッシ窓の表裏両面に吸着部を備える構造に比べ、構造の簡単化が図れる。
【００３２】
なお、上記の実施形態では、建具としてサッシ窓５を例示したが、これに限らず、ドアや戸などの建具を建具枠に取り付けることにも利用できる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：サッシ窓吊具（建具吊具）
１Ａ    ：サッシ窓吊具（建具吊具）
２      ：吊部材
３      ：第２吊手段
５      ：サッシ窓（建具）
５ａ    ：凹レール
６      ：窓枠（建具枠）
７      ：ホイスト
８      ：建物
９      ：サッシ窓置き具（建具置き具）
１１    ：下辺係合部
１１ａ  ：第１立上部
１１ｂ  ：第２立上部
１１ｃ  ：繋ぎ部
１１ｄ  ：押し当て具
１２    ：縦辺係合部
１２ａ  ：第１縦面部
１２ｂ  ：第２縦面部
１２ｃ  ：繋ぎ部
１２ｄ  ：押し当て具
２１    ：第１部材
２１ａ  ：調整機構
２２    ：第２部材
２２ｂ  ：調整機構
２３    ：リング部材
３１    ：吸着部
３１ａ  ：吸盤
３１ｂ  ：板状体
３２    ：吸着部用吊部材
５１    ：下辺部
５２    ：縦辺部
６１    ：凸レール
６２    ：フラット蓋
７１    ：フック
１０１  ：第１吊手段
【図１】
2020105740.tif 000003
【図２】
2020105740.tif 000004
【図３】
2020105740.tif 000005
【図４】
2020105740.tif 000006
【図５】
2020105740.tif 000007
【図６】
2020105740.tif 000008
【図７】
2020105740.tif 000009
【図８】
2020105740.tif 000010
【図９】
2020105740.tif 000011
【図１０】
2020105740.tif 000012
【図１１】
2020105740.tif 000013